(57)【要約】【課題】複数台接続された電子装置に順次電源を投入した場合において、電源投入時間のずれにより発生する不安定な動作を回避可能な電子装置、電子装置の起動方法を提供することを目的としたものである。【解決手段】複数台接続された電子装置に順次電源を投入する際に、各電源の起動時に当該電子装置をリセットし、この複数の電子装置の電源のうち、最後に起動される電源の起動後に、複数の電子装置のリセットを同時に解除することにより、全ての電子装置が安定した状態になってから複数の電子装置の動作を同時に開始させることができる。【選択図】図４
2008029186.tif 000002
【特許請求の範囲】
【請求項１】
複数の電子装置の電源を順次起動する電子装置の起動方法であって、
前記複数の電子装置は、各電源の起動時にリセットされ、
前記複数の電子装置の電源のうち、最後に起動される電源の起動後に、前記複数の電子装置のリセットを略同時に解除することを特徴とする電子装置の起動方法。
【請求項２】
前記複数の電子装置は、同一の電源に接続されたことを特徴とする請求項１に記載の電子装置の起動方法。
【請求項３】
主電源と補助電源とを有する電源手段と、
前記主電源の起動／遮断を制御する前記補助電源を電源とする電源制御手段と、
当該電子装置を制御する電子装置制御手段と、
前記補助電源の起動時に前記電子装置制御手段をリセットするリセット手段と、
電子装置毎に設定された第一の所定時間と、他の電子装置と同じ時間に設定された第二の所定時間とが格納された記憶手段とを有する電子装置であって、
前記電源制御手段は、前記補助電源の起動時点から前記第一の所定時間経過後、前記主電源を起動させ、
前記リセット手段は、前記補助電源の起動時点から前記第二の所定時間経過後、前記リセットを解除することを特徴とする電子装置。
【請求項４】
前記第二の所定時間は、前記第一の所定時間より長いことを特徴とする請求項３に記載の電子装置。
【請求項５】
主電源と補助電源とを有する電源手段と、
前記主電源の起動／遮断を制御する前記補助電源を電源とする電源制御手段と、
当該電子装置を制御する電子装置制御手段と、
前記補助電源の起動時に前記電子装置制御手段をリセットするリセット手段と、
電子装置毎に設定された第一の所定時間と、前記第一の所定時間との和が、他の電子装置と同じ時間となるように設定された第二の所定時間とが格納された記憶手段とを有する電子装置であって、
前記電源制御手段は、前記補助電源の起動時点から前記第一の所定時間経過後、前記主電源を起動させ、
前記リセット手段は、前記主電源の起動時点から前記第二の所定時間経過後、前記リセットを解除することを特徴とする電子装置。
【請求項６】
主電源と補助電源を有する電源手段と、
当該電子装置を制御する電子装置制御手段と、
電子装置毎に設定された第一の所定時間と、他の電子装置と同じ時間に設定された第二の所定時間とが格納された記憶手段とを有する電子装置の起動方法であって、
前記主電源の起動／遮断を制御する前記補助電源を電源とする電源制御手順と、
前記補助電源の起動時に前記電子装置制御手段をリセットするリセット手順とを有し、
前記電源制御手順は、前記補助電源の起動時点から前記第一の所定時間経過後、前記主電源を起動させ、
前記リセット手順は、前記補助電源の起動時点から前記第二の所定時間経過後、前記リセットを解除することを特徴とする電子装置の起動方法。
【請求項７】
前記第二の所定時間は、前記第一の所定時間より長いことを特徴とする請求項６に記載の電子装置の起動方法。
【請求項８】
主電源と補助電源を有する電源手段と、
当該電子装置を制御する電子装置制御手段と、
電子装置毎に設定された第一の所定時間と、前記第一の所定時間との和が、他の電子装置と同じ時間となるように設定された第二の所定時間とが格納された記憶手段とを有する電子装置の起動方法であって、
前記主電源の起動／遮断を制御する前記補助電源を電源とする電源制御手順と、
前記補助電源の起動時に前記電子装置制御手段をリセットするリセット手順とを有し、
前記電源制御手順は、前記主電源の起動時点から前記第一の所定時間経過後、前記主電源を起動させ、
前記リセット手順は、前記補助電源の起動時点から前記第二の所定時間経過後、前記リセットを解除することを特徴とする電子装置の起動方法。
【発明の詳細な説明】
【技術分野】
【０００１】
複数台が接続されて使用されるコンピュータ等の電子装置および電子装置の起動方法に関する。
【背景技術】
【０００２】
複数のコンピュータなどの電子装置が同一の電源に接続されて使用される場合において、特にこの電子装置の電源がスイッチング方式であった場合に各電子装置の電源が同時に投入されるとラッシュカレントが発生する。従来では、このラッシュカレントによる電源のトラブルや、電圧降下による電子装置の不具合などの発生を抑えるため、電子装置への電源投入のタイミングをずらす方法が開示されている。
【０００３】
以下に従来の電子装置の電源投入のタイミングについて説明する。図１は従来の電子装置１００の機能ブロック図の例である。
【０００４】
電子装置１００は、主電源１１１と補助電源１１２を有する電源部１１０、電子装置１００で実行される処理を制御する電子装置制御部１２０、主電源１１１の起動／遮断を制御すると補助電源１１２を電源とする電源制御部１３０、電子装置制御部１２０をリセットするリセット回路部１４０、予め設定された設定情報などを保持しておくためのバックアップバッテリ１５０とを備えている。
【０００５】
主電源１１１は、電子装置制御部１２０を動作させ、電子装置１００を電子装置として機能させるために必要な電源であり、補助電源１１２は、主電源１１１の起動／遮断を制御するために必要となる電源である。
【０００６】
図２は、従来の電子装置１００および他の電子装置への電源投入のタイミングを説明するタイミングチャートである。尚、ここでの電源投入とは、主電源が起動されて電子装置１００が電子装置として機能することが可能な状態を意味する。
【０００７】
電子装置１００において、電源部１１０は、外部よりＡＣ電源が供給されると補助電源１１２を起動し、直ちにこの補助電源１１２を電源制御部１３０へ供給する。電源制御部１３０は、予め設定された時間が経過した後に主電源１１１を起動させるための主電源制御信号を電源部１１０へ出力する。リセット回路１４０は、主電源１１１が供給されるまで電子装置制御部１２０をリセットするように予め設定されており、主電源１１１が起動し、リセット回路部１４０に主電源１１１が供給されるとこのリセットを解除するリセット解除信号を出力し、電子装置制御部１２０のリセットを解除する。
【０００８】
従来では、このような構成の電子装置を複数台接続した場合に、補助電源１１２が起動してから主電源１１１が起動するまでの時間を電子装置毎に違う値に設定し、各電子装置における電源投入のタイミングをずらしている。例えば図２に示すように、電子装置１００、電子装置１００Ａ、電子装置１００Ｂのそれぞれにおける主電源が起動するまでの時間を序々に長くし、電子装置１００、１００Ａ、１００Ｂの順に電源を投入する。
【０００９】
このような方法の他にも、以下のような文献が従来技術としてあげられる。特許文献１には、電力供給側にＡＣ電流を投入した際に、電力供給側に多大な電流が流れることを防止し、これにより電力供給方設備に必要とされる無停電電源容量および遮断機の容量を軽減し、操作性、生産性、並びに保守性を向上させた順次投入電源装置が記載されている。
【００１０】
特許文献２には、複数の電源装置に対し同時に電源をオンする際に各電源装置の突入電流の重なりにより生ずる過大突入電流を抑圧するための電源制御方法および電源制御装置が記載されている。
【特許文献１】特許第３１８６６７１号公報
【特許文献２】特許第３２６７２３２号公報
【発明の開示】
【発明が解決しようとする課題】
【００１１】
しかしながら、上記従来の技術では、電源投入のタイミングをずらしたために、先に起動した電子装置と後から起動した電子装置との間に起動時間の差が発生する。例えばこのような電子装置が複数台接続された状態で動作する構成のシステムなどにおいては、この時間差により各電子装置の動作及びシステム全体の動作が不安定になるという問題点がある。
【００１２】
本発明は、このような問題点を鑑みてこれらを解決すべくなされたものであり、複数台接続された電子装置に順次電源を投入した場合において、各電子装置の起動時間のずれにより発生する不安定な動作を回避する電子装置、電子装置の起動方法を提供することを目的としたものである。
【課題を解決するための手段】
【００１３】
上記目的を達成するために、本発明は次の如き構成を採用した。
【００１４】
本発明は、複数の電子装置の電源を順次起動する電子装置の起動方法であって、前記複数の電子装置は、各電源の起動時にリセットされ、前記複数の電子装置の電源のうち、最後に起動される電源の起動後に、前記複数の電子装置のリセットを略同時に解除することを特徴とする。
【００１５】
係る方法によれば、前記複数の電子装置の起動時間のずれにより発生する不安定な動作を回避することができる。
【００１６】
また、本発明の起動方法は、上記目的を達成するために、さらに、前記複数の電子装置は、同一の電源に接続されたことを特徴とする。
【００１７】
本発明の電子装置は、主電源と補助電源とを有する電源手段と、前記主電源の起動／遮断を制御する前記補助電源を電源とする電源制御手段と、当該電子装置を制御する電子装置制御手段と、前記補助電源の起動時に前記電子装置制御手段をリセットするリセット手段と、電子装置毎に設定された第一の所定時間と、他の電子装置と同じ時間に設定された第二の所定時間とが格納された記憶手段とを有する電子装置であって、前記電源制御手段は、前記補助電源の起動時点から前記第一の所定時間経過後、前記主電源を起動させ、前記リセット手段は、前記補助電源の起動時点から前記第二の所定時間経過後、前記リセットを解除する構成とすることができる。
【００１８】
係る構成によれば、前記補助電源の起動から所定時間経過した後、他の電子装置と同じタイミングで当該電子装置の動作を開始させることできる。
【００１９】
また、本発明の電子装置は、前記第二の所定時間は、前記第一の所定時間より長い構成とすることができる。
【００２０】
係る構成によれば、前記電子装置が同一の電源に複数台接続される場合に、前記第一の所定時間及び前記第二の所定時間の設定を変更せずに、接続される電子装置を増設することができる。
【００２１】
また、本発明の電子装置は、主電源と補助電源とを有する電源手段と、前記主電源の起動／遮断を制御する前記補助電源を電源とする電源制御手段と、当該電子装置を制御する電子装置制御手段と、前記補助電源の起動時に前記電子装置制御手段をリセットするリセット手段と、電子装置毎に設定された第一の所定時間と、前記第一の所定時間との和が、他の電子装置と同じ時間となるように設定された第二の所定時間とが格納された記憶手段とを有する電子装置であって、前記電源制御手段は、前記補助電源の起動時点から前記第一の所定時間経過後、前記主電源を起動させ、前記リセット手段は、前記主電源の起動時点から前記第二の所定時間経過後、前記リセットを解除する構成とすることができる。
【００２２】
係る構成によれば、前記主電源の起動から所定時間経過した後、他の電子装置と同じタイミングで当該電子装置の動作を開始させることできる。
【００２３】
本発明の電子装置の起動方法は、主電源と補助電源を有する電源手段と、当該電子装置を制御する電子装置制御手段と、電子装置毎に設定された第一の所定時間と、他の電子装置と同じ時間に設定された第二の所定時間とが格納された記憶手段とを有する電子装置の起動方法であって、前記主電源の起動／遮断を制御する前記補助電源を電源とする電源制御手順と、前記補助電源の起動時に前記電子装置制御手段をリセットするリセット手順とを有し、前記電源制御手順は、前記補助電源の起動時点から前記第一の所定時間経過後、前記主電源を起動させ、前記リセット手順は、前記補助電源の起動時点から前記第二の所定時間経過後、前記リセットを解除する方法とすることができる。
【００２４】
係る方法によれば、前記補助電源の起動から所定時間経過した後、他の電子装置と同じタイミングで当該電子装置の動作を開始させることできる。
【００２５】
また、本発明の電子装置の起動方法は、前記第二の所定時間は、前記第一の所定時間より長い構成とすることができる。
【００２６】
係る方法によれば、前記電子装置が同一の電源に複数台接続される場合に、前記第一の所定時間及び前記第二の所定時間の設定を変更せずに、接続される電子装置を増設することができる。
【００２７】
本発明の電子装置の起動方法は、主電源と補助電源を有する電源手段と、当該電子装置を制御する電子装置制御手段と、電子装置毎に設定された第一の所定時間と、前記第一の所定時間との和が、他の電子装置と同じ時間となるように設定された第二の所定時間とが格納された記憶手段とを有する電子装置の起動方法であって、前記主電源の起動／遮断を制御する前記補助電源を電源とする電源制御手順と、前記補助電源の起動時に前記電子装置制御手段をリセットするリセット手順とを有し、前記電源制御手順は、前記主電源の起動時点から前記第一の所定時間経過後、前記主電源を起動させ、前記リセット手順は、前記補助電源の起動時点から前記第二の所定時間経過後、前記リセットを解除する方法とすることができる。
【００２８】
係る方法によれば、前記主電源の起動から所定時間経過した後、他の電子装置と同じタイミングで当該電子装置の動作を開始させることできる。
【発明の効果】
【００２９】
本発明によれば、複数台接続された電子装置に順次電源を投入した場合において、各電子装置の起動時間のずれにより発生する不安定な動作を回避することができる。
【発明を実施するための最良の形態】
【００３０】
本発明は、同一の電源に複数台接続された電子装置に順次電源を投入する際に、各電源の起動時に当該電子装置をリセットし、前記複数の電子装置のうち、最後に起動される電源の起動後に、前記複数の電子装置のリセットを同時に解除することにより、全ての電子装置が安定した状態になってから同時に複数の電子装置の動作を開始させることができる。
【００３１】
（第一の実施形態）
以下に図面を参照して本実施形態について説明する。図３は、第一の実施形態の電子装置の起動方法を説明する図の例である。
【００３２】
図３では、１つの電源プラグ３１０に電子装置である複数のパーソナルコンピュータ（以下、ＰＣ）３２０、３３０、３４０、３５０、３６０、３７０が接続されたコンピュータシステム３００を示している。電源プラグ３１０は、例えば室内のリセプタクルや電源スイッチを有する電源ボックス等に接続されており、ＰＣ３２０、３３０、３４０、３５０、３６０、３７０に電源を供給する。
【００３３】
コンピュータシステム３００では、各ＰＣはそれぞれの起動時に各ＰＣ間で通信を行い接続の確認を行っている。よって、時間差を設けて順次各ＰＣに電源を起動させる場合、先に電源が起動され、動作を開始したＰＣが、まだ電源が起動せず動作を開始していないＰＣと通信を行った場合、通信エラーが発生してシステムとして正常に動作しない場合がある。さらに、接続されたＰＣの台数が多いと、１台目のＰＣの電源が起動されてから最終台目のＰＣの電源が起動されるまでの時間差が大きくなり、システムとしての動作に不具合を生じる。
【００３４】
本実施形態では、このような問題を解決すべくＰＣ３２０、３３０、３４０、３５０、３６０、３７０を構成した。以下にＰＣ３２０について説明する。
【００３５】
図４は、電子装置であるＰＣ３２０を説明する機能ブロック図の例である。ＰＣ３２０は、電源部３２１、電子装置制御部３２２、電源制御部３２３、リセット回路部３２４、バックアップバッテリ３２５とを備える。
【００３６】
ＰＣ３２０は、表示装置や入力装置を有し、電子装置制御部３２２によりその動作が制御され、電子装置制御部３２２が動作することによりパーソナルコンピュータとして機能する。
【００３７】
電源部３２１はＰＣ３２０に必要な直流電源装置などであり、主電源３２６と補助電源３２７とを備えている。主電源３２６は、電源制御部３２２によりその起動または遮断を制御される電源であり、主電源３２６が起動されると主電源３２６がＯＮになり、各部へ供給される。そして主電源３２６が遮断されると、各部に供給されている主電源３２６がＯＦＦとなる。補助電源３２７とは主電源３２６の起動／遮断すなわちＯＮ／ＯＦＦを制御するために必要な電圧である。
【００３８】
電子装置制御部３２２は、ＰＣ３２０における処理の制御を司り、図示しないＣＰＵ、ＰＣ３２０で実行されるプログラムなどが格納された記憶装置、他のＰＣと通信を行うための通信装置等を有する。また電子装置制御部３２２は、リセット回路３２４の出力信号により動作のリセットとリセット解除が制御される。尚、本実施形態の電子装置制御部３２２は、ローレベル（以下、Ｌレベル）の信号が入力されるとリセットされ、ハイレベル（以下、Ｈレベル）の信号が入力されるとリセットが解除されるものとした。
【００３９】
電源制御部３２３は、予め設定された所定時間に基づき主電源３２６を起動させるための主電源制御信号を電源部３２１へ出力する。また、電源制御部３２３は、予め設定された所定時間に基づき、同期リセット信号を出力する。同期リセット信号とは、リセット回路部３２４から電子装置制御部３２２へ出力される信号と同期させた信号である。この同期リセット信号を制御することでリセット回路部３２４の出力信号を制御し、電子装置制御部３２２に対するリセットとリセット解除を制御する。電源制御部３２３についての詳細は後述する。
【００４０】
リセット回路部３２４は、主電源３２６の電圧と電源制御部３２３から出力される同期リセット信号に基づき電子装置制御部３２２のリセット解除の制御を行う。リセット回路部３２４の詳細は後述する。バックアップバッテリ３２５は、電源制御部３２３に接続されており、電源制御部３２３内に格納されている設定情報などを保持するためのものである。
【００４１】
ここで、図５を参照して電源制御部３２３の詳細を説明する。図５は、電源制御部３２３を示す機能ブロック図の例である。
【００４２】
電源制御部３２３は、補助電源３２７により供給される電源で動作する第一の所定時間設定部５１０、第二の所定時間設定部５１１、時間計時部５１２と、バックアップバッテリ３２５により供給される電源で動作する第一の所定時間記憶部５１３、第二の所定時間記憶部５１４、リアルタイムクロック回路５１５を有する。
【００４３】
第一の時間設定部５１０では、電子装置制御部３２２からの設定指示により、補助電源３２７が起動してから主電源３２６が起動するまでの第一の所定時間が設定される。第二の時間設定部５１１では、電子装置制御部３２２からの設定指示により、補助電源３２７が起動してから、電子装置制御部３２２に対するリセットが解除されるまでの第二の所定時間が設定される。そして、第一の時間設定部５１０で設定された第一の所定時間は第一の記憶部５１３に格納され、第二の時間設定部５１１で設定された第二の所定時間は第二の記憶部５１４に格納される。
【００４４】
尚、第一の所定時間の設定及び第二の所定時間の設定についての詳細は、後に図面を参照して詳細に説明する。
【００４５】
時間計時部５１２では、第一の記憶部５１３格納された第一の所定時間とリアルタイムクロック回路５１５に基づき、補助電源３２７が起動してから第一の所定時間が経過するまでの時間をカウントする。そして、第一の所定時間が経過すると、電源制御部３２３は電源３２６を起動させる主電源制御信号を電源部３２１へ送信する。
【００４６】
また、時間計時部５１２は、第二の記憶部５１４に格納された第二の所定時間とリアルタイムクロック回路５１５に基づき、補助電源３２７が起動してから第二の所定時間が経過するまでの時間をカウントする。そして、第二の所定時間が経過すると、電源制御部３２３は電子装置制御部３２２のリセットを解除する同期リセット信号をリセット回路部３２４へ送信する。
【００４７】
次に、図６を参照してリセット回路部３２４について説明する。図６はリセット回路部３２４の概略回路図の例である。
【００４８】
リセット回路部３２４は、電源部３２１から出力される主電源３２６の電圧を監視する主電源電圧監視部６１０とＡＮＤ回路６２０を有する。主電源電圧監視部６１０では、主電源３２６が起動され、正常な電源電圧が供給されたことを検知するとＨレベルの信号を出力する。ＡＮＤ回路６２０では、主電源電圧監視回路６１０の出力信号と、電源制御部３２３から出力される同期リセット信号とが入力され、その論理和がリセット回路部３２２の出力信号となる。
【００４９】
次に、図７を参照してＰＣ３２０の動作について説明する。図７は、第一の実施形態のＰＣ３２０の動作を説明するフローチャートの例である。
【００５０】
ＰＣ３２０において、電源部３２１に外部からＡＣ電源などの電源が供給されると、電源部３２１は直ちに補助電源３２７を起動し、この補助電源３２７を電源制御部３２３に対して出力する（Ｓ７１）。電源制御部３２３は、補助電源３２７が供給されると同時にリセット回路３２４に対してＬレベル同期リセット信号を出力する。
【００５１】
リセット回路３２４では、このＬレベルの同期リセット信号と、主電源電圧監視部６１０の出力信号の論理和がリセット回路部３２４の出力信号となる。このとき主電源３２６はまだ起動されていないため、主電源電圧監視部６１０の出力信号はＬレベルとなる。よって、リセット回路３２４の出力信号はＬレベルとなる。電子装置制御部３２２は、このＬレベルのリセット信号によりリセットされた状態となる。
【００５２】
また、電源制御部３２３では、補助電源３２７が供給されると、時間計時部５１２において第一の記憶部５１１に格納された第一の所定時間が経過したか否かを判断するために時間のカウントを開始し（Ｓ７２）、第一の所定時間経過するまでカウントを続ける（Ｓ７３）。
【００５３】
そして、時間計時部５１２において第一の所定時間をカウントが終了すると（Ｓ７４）、電源制御部３２３は第一の所定時間が経過したものとし、電源部３２１に対して主電源３２６を起動させる主電源制御信号を出力する（Ｓ７５）。電源部３２１は、この主電源制御信号を受けて主電源３２６を起動し、電子装置制御部３２２とリセット回路部３２４に電源の供給を開始する。
【００５４】
第一の所定時間が経過した後、電源制御部３２２の時間計時部５１２は、さらに補助電源３２７が供給されてから、第二の記憶部に格納された第二の所定時間が経過するまで引き続き時間のカウントを継続する（Ｓ７６）。そして、時間計時部５１２において第二の所定時間のカウントが終了すると（Ｓ７７）、電源制御部３２３は、第二の所定時間が経過したものとして電子装置制御部３２２のリセットを解除する信号、すなわちＨレベルの同期リセット信号をリセット回路部３２４へ出力する。
【００５５】
リセット回路部３２４では、主電源電圧監視部６１０が正常な電源電圧が供給されていることを検知し（Ｓ７８）、かつＨレベルの同期リセット信号を受けると、電子装置制御部３２２のリセットを解除する信号、すなわちＨレベルのリセット信号を出力する（Ｓ７９）。
【００５６】
電子装置制御部３２２では、このリセット解除信号によりリセットが解除されて動作を開始する。ＰＣ３２０は、電子装置制御部３２２が動作を開始すると、ＰＣ３２０における各種処理を実行することができる。ここでいう各種処理とは、例えば図３で説明したコンピュータシステム３００において使用されるプログラムの実行などであっても良い。
【００５７】
ここで第一の所定時間と第二の所定時間の設定について、図８ないし図１０を参照して説明する。図８は、第一の所定時間及び第二の所定時間の設定について説明する第一の図である。図９は、第一の所定時間及び第二の所定時間の設定について説明する第二の図である。図１０は、第一の所定時間及び第二の所定時間の設定について説明する第三の図である。
【００５８】
本実施形態の電子装置であるＰＣ３２０では、図８に示すように、工場出荷時に乱数などを用いて決定された第一の所定時間が設定されていても良い。この場合ＰＣ３２０では、ＰＣ３２０が使用環境に配置された際に、他の電子装置と同時にＰＣ３２０のリセットが解除されるように、第一の所定時間に基づき第二の所定時間が設定されても良い。第二の所定時間を設定する際には、ＰＣ３２０において第二の所定時間を設定するための設定プログラムが実行されて、第二の所定時間が設定されても良い。
【００５９】
また本実施形態の電子装置であるＰＣ３２０には、図９に示すように、時間設定プログラムがインストールされても良い。図９に示す例では、ＰＣ３２０が使用環境に配置される際に、ＰＣ３２０において時間設定プログラムが起動される。そしてＰＣ３２０では、この時間設定プログラムにより、ＰＣ３２０及びその他の電子装置において主電源が起動されるタイミングが重ならず、且つ同時にリセットが解除されるように、第一の所定時間及び第二の所定時間が設定される。
【００６０】
係る設定手法によれば、ＰＣ３２０の使用環境に合わせて第一の所定時間が設定されるため、確実にＰＣ３２０及びその他の電子装置の主電源が起動されるタイミングをずらすことができる。したがって図８で説明した例と比較すると、より高い確率で各電子装置の起動時間のずれにより発生する不安定な動作を回避することができる。
【００６１】
また本実施形態の電子装置であるＰＣ３２０が通信手段を有する場合、図１０に示すように、通信手段を介して第一の所定時間及び第二の所定時間が設定されても良い。この場合の通信手段とは、例えばイーサネット（登録商標）方式やシリアル通信方式等を用いたものであっても良い。
【００６２】
図１０に示す例では、ＰＣ３２０は、他の電子装置とネットワークを介して接続されている。ＰＣ３２０と接続された電子装置には、ネットワークの環境に合わせた第一の所定時間及び第二の所定時間を算出する時間設定プログラムがインストールされている。ここで、この時間設定プログラムがインストールされた電子装置は、複数台であっても良いし、ネットワークを管理する管理用電子装置１台のみであっても良い。図１０に示す例では、ＰＣ１０に時間設定プログラムがインストールされているものとした。
【００６３】
ＰＣ１０では、ネットワーク環境に基づき、ＰＣ３２０に対して設定する第一の所定時間及び第二の所定時間を算出する。ここでＰＣ１０は、ＰＣ３２０及びその他の電子装置において主電源が起動されるタイミングが重ならず、且つ同時にリセットが解除されるように、第一の所定時間及び第二の所定時間を算出する。そしてＰＣ１０は、この算出された第一の所定時間及び第二の所定時間に係る情報をＰＣ３２０へ送信する。ＰＣ３２０では、この情報に基づき第一の所定時間及び第二の所定時間が設定される。
【００６４】
係る設定手法によれば、図９に示す例と同様に、ＰＣ３２０の使用環境に合わせて第一の所定時間が設定されるため、確実にＰＣ３２０及びその他の電子装置の主電源が起動されるタイミングをずらすことができる。したがって図８で説明した例と比較すると、より高い確率で各電子装置の起動時間のずれにより発生する不安定な動作を回避することができる。
【００６５】
尚、図１０で示す例において用いられる通信方式としては、例えば電力線搬送通信方式（ＰＬＣ）であることが好ましい。係る方式は、同時に起動される電子装置により形成される閉じたネットワークにおいて、本発明を適用する場合に最も適した通信方式である。
【００６６】
また、第一の所定時間及び第二の所定時間の設定は、図８ないし図１０を参照して説明した設定手法以外にも、例えばＰＣ３２０のユーザにより任意の値が入力されて設定されても良い。例えばＰＣ３２０の備えるキーボードなどの入力装置からユーザにより任意の値が入力され、この入力操作をうけて電子装置制御部３２２が電源制御部３２３に設定指示を出しても良い。
【００６７】
電子装置制御部３２２は、設定される第一の所定時間に関する時間情報が入力されると、第一の時間設定部５１０に対して第一の所定時間の設定指示を出す。第一の時間設定部５１０は、この時間情報を第一の所定時間として設定し、この設定情報を第一の記憶部５１３に格納する。第二の所定時間の設定も、第一の所定時間の設定と同様である。第二の時間設定部５１１は、電子装置制御部３２２より第二の所定時間の設定指示を受けると、ユーザにより入力された第二の所定時間に関する時間情報を第二の所定時間として設定し、この設定情報を第二の記憶部５１４に格納する。
【００６８】
第一の記憶部５１３と第二の記憶部５１４は、バックアップバッテリ３２５により動作するものである。よって、第一の記憶部５１３と第二の記憶部５１４に格納さたれ設定情報は、ＰＣ３２０に外部より供給される電源が遮断され、主電源３２６と補助電源３２７がＯＦＦの状態となっても各記憶部に保持される。このため、ＰＣ３２０において補助電源３２７が起動すると、電源制御部３２３は直ちに第一の所定時間と第二の所定時間を読み出すしカウント動作を開始することができる。
【００６９】
このように、第一の所定時間と第二の所定時間をユーザの任意に設定可能としておけば、例えばＰＣ３２０がコンピュータシステム３００に接続された複数の電子装置のうちの１台ではなく、単独の電子装置として動作する場合に、第一の所定時間と第二の所定時間を短く設定することにより主電源３２６の起動及びＰＣ３２０の動作開始までの時間を短縮できる。
【００７０】
以上に説明したＰＣ３２０の構成は、コンピュータシステム３００を構成する他の各ＰＣにおいても適用可能である。この構成を例えばＰＣ３３０とＰＣ３４０適用した場合における各ＰＣの起動のタイミングについて以下に説明する。
【００７１】
図１１は、第一の実施形態のＰＣ３２０、ＰＣ３３０、ＰＣ３４０の起動のタイミングを説明するタイミングチャートの例である。
【００７２】
本実施形態では、各ＰＣにおいて、補助電源３２７が起動してから主電源３２６が起動するまでの第一の所定時間を各ＰＣ毎に異なる時間に設定し、補助電源３２７が起動してから電子装置制御部３２２がリセットされるまでの第二の所定時間を一定時間に設定した。このように設定することにより、全てのＰＣの主電源が順次起動された後、各ＰＣの有する電子装置制御部に対するリセットを同時に解除できる。これにより、各ＰＣの動作を同時に開始させることができる。
【００７３】
図１１に示すように、ＰＣ３２０の第一の所定時間から順に、各ＰＣで設定する第一の所定時間を序々に長くすることより、各ＰＣにおいて順次主電源を起動させることができる。そして、各ＰＣにおける第二の所定時間を一定時間に設定すれば、各ＰＣの電子装置制御部に備えられたＣＰＵ等のリセットを同時に解除することができ、各ＰＣが同時に動作を開始することができる。
【００７４】
尚、第二の所定時間は、第一の所定時間に比べて十分に長いことが好ましい。このようにすれば、同一系統の電源に接続される電子装置の台数が増加した場合でも新たに第二の所定時間を設定し直すことなく電子装置を増設することができる。
【００７５】
係る構成によれば、複数台の電子装置において、起動時間の時間差により生じる不安定な動作を回避することができる。
【００７６】
（第二の実施形態）
以下に図面を参照して本発明の第二の実施形態について説明する。
【００７７】
第二の実施形態では、第一の実施形態で説明した第二の所定時間を、主電源が起動してから電子装置制御部が解除されるまでの時間とした点のみが第一の実施形態と異なり、電子装置であるＰＣ３２０、３３０、３４０、３５０、３６０、３７０の構成は第一の実施形態と同様である。よって、以下には第二の所定時間のカウント動作及びＰＣ３２０の動作について説明する。
【００７８】
図１２は、第二の実施形態のＰＣ３２０の動作を説明するフローチャートの例である。Ｓ９１からＳ９５までの処理は、図７のＳ７１からＳ７５までの処理と同様なので説明を省略する。
【００７９】
電源部３２１は、Ｓ９５において、電源制御部３２３により出力された主電源制御信号を受けて主電源３２６を起動し、電子装置制御部３２２とリセット回路部３２４に対して電源の供給を開始する。
【００８０】
時間計時部５１２では、主電源制御信号の出力と同時に一度カウント動作を終了し、再度第二の所定時間のカウントを新たに開始する（Ｓ９６）。そして、時間計時部５１２は、第二の所定時間が終了するまでカウントを継続する（Ｓ９７）。
【００８１】
時間計時部５１２において、第二の所定時間のカウントが終了すると（Ｓ９８）、電源制御部３２３は、第二の所定時間が経過したものとし、電子装置制御部３２２のリセットを解除する信号、すなわちＨレベルの同期リセット信号をリセット回路部３２４へ出力する。Ｓ９９、Ｓ１００での処理は、図７のＳ７８、Ｓ７９と同様であるから説明を省略する。
【００８２】
ここで、本実施形態では、第一の所定時間と第二の所定時間との和の時間が、ＰＣ３２０、３３０、３４０、３５０、３６０、３７０において同一となるように設定されていることが好ましい。係る構成であれば、各ＰＣにおいて同時にリセットを解除することができ、第一の実施形態と同様の効果を奏することが可能となる。
【００８３】
この構成を、ＰＣ３２０の他に例えばＰＣ３３０とＰＣ３４０適用した場合における各ＰＣの起動のタイミングについて以下に説明する。図１３は、第二の実施形態のＰＣ３２０、ＰＣ３３０、ＰＣ３４０の起動のタイミングを説明するタイミングチャートの例である。
【００８４】
図１３に示されるように、各ＰＣにおける第一の所定時間を序々に長くしていくことで、主電源が投入されるタイミングを順次ずらしている。ここで、第二の所定時間は、第一の所定時間との和が一定となるように設定されている。よって、図１３に示す例では、第一の所定時間が長くなるに従って第二の所定時間が短くなる。ここで、例えば第二の所定時間が第一の所定時間よりも長くなるように設定されていれば、各ＰＣにおいて主電源が起動された後、より安定した状態で各ＰＣの動作を開始させることができる。
【００８５】
以上、各実施形態に基づき本発明の説明を行ってきたが、上記実施形態にあげた構成、その他の要素との組み合わせなど、ここで示した要件に本発明が限定されるものではない。これらの点に関しては、本発明の主旨をそこなわない範囲で変更することが可能であり、その応用形態に応じて適切に定めることができる。
【産業上の利用可能性】
【００８６】
本発明は、複数台が接続されて使用されるコンピュータ等の電子装置および電子装置の起動方法に利用可能である。
【図面の簡単な説明】
【００８７】
【図１】従来の電子装置１００の機能ブロック図である。
【図２】従来の電子装置１００および他の電子装置への電源投入のタイミングを説明するタイミングチャートである。
【図３】第一の実施形態の電子装置の起動方法を説明する図である。
【図４】電子装置であるＰＣ３２０を説明する機能ブロック図である。
【図５】電源制御部３２３を示す機能ブロック図である。
【図６】リセット回路部３２４の概略回路図である。
【図７】第一の実施形態のＰＣ３２０の動作を説明するフローチャートである。
【図８】第一の所定時間及び第二の所定時間の設定について説明する第一の図である。
【図９】第一の所定時間及び第二の所定時間の設定について説明する第二の図である。
【図１０】第一の所定時間及び第二の所定時間の設定について説明する第三の図である。
【図１１】第一の実施形態のＰＣ３２０、ＰＣ３３０、ＰＣ３４０の起動のタイミングを説明するタイミングチャートである。
【図１２】第二の実施形態のＰＣ３２０の動作を説明するフローチャートである。
【図１３】第二の実施形態のＰＣ３２０、ＰＣ３３０、ＰＣ３４０の起動のタイミングを説明するタイミングチャートである。
【符号の説明】
【００８８】
３００  コンピュータシステム
３１０  電源プラグ
３２０、３３０、３４０、３５０、３６０、３７０  パーソナルコンピュータ（ＰＣ）
１１０、３２１  電源部
１２０、３２２  電子装置制御部
１３０、３２３  電源制御部
１４０、３２４  リセット回路部
１５０、３２５  バックアップバッテリ
１１１、３２６  主電源
１１２、３２７  補助電源
５１０  第一の時間設定部
５１１  第二の時間設定部
５１２  時間計時部
５１３  第一の記憶部
５１４  第二の記憶部
５１５  リアルタイムクロック回路
６１０  主電源電圧監視部
６２０  ＡＮＤ回路
【図１】
2008029186.tif 000003
【図２】
2008029186.tif 000004
【図３】
2008029186.tif 000005
【図４】
2008029186.tif 000006
【図５】
2008029186.tif 000007
【図６】
2008029186.tif 000008
【図７】
2008029186.tif 000009
【図８】
2008029186.tif 000010
【図９】
2008029186.tif 000011
【図１０】
2008029186.tif 000012
【図１１】
2008029186.tif 000013
【図１２】
2008029186.tif 000014
【図１３】
2008029186.tif 000015